(57)【要約】【課題】室の内側及び外側から、扉の締め付け操作とその解除操作を行うと共に扉を開閉可能とする。【解決手段】室１の開口部３に垂直軸７を有するヒンジ８を介して開閉自在に取り付けられた片開式扉５において、扉５の所要箇所に、締付操作軸１４を回動自在にかつ軸方向移動不能に貫通状に取り付け、該軸１４の両端部に回動操作ハンドル１５、１６を取り付け、前記操作軸１４の室内側端部に雄ねじ部１７を設け、該雄ねじ部１７に扉締付アーム１８の略中央部に設けた雌ねじ部２５を螺合し、扉締付アーム１８の両端を前記開口部両側の扉５と反対側の垂直面４Ｂに接当・離脱自在とし、扉５を室１の内外いずれの側からも開操作可能とし、前記扉締付アーム１８を扉５に設けたアーム回動操作手段２８によって室外からも回動操作可能とする。【選択図】　　　図３
0003098885.tif 000002
【実用新案登録請求の範囲】
【請求項１】
室の開口部に垂直軸を有するヒンジを介して開閉自在に取り付けられた片開式扉において、扉の所要箇所に、締付操作軸を回動自在にかつ軸方向移動不能に貫通状に取り付け、該軸の両端部に回動操作ハンドルを取り付け、前記操作軸の室内側端部に雄ねじ部を設け、該雄ねじ部に扉締付アームの略中央部に設けた雌ねじ部を螺合し、扉締付アームの両端を前記開口部両側の扉と反対側の垂直面に接当・離脱自在とし、扉を室の内外いずれの側からも開操作可能とし、前記扉締付アームを扉に設けたアーム回動操作手段によって室外からも回動操作可能としたことを特徴とする片開式扉の締付装置。
【請求項２】
扉の中央部又は上下複数箇所に、締付操作軸を回動自在にかつ軸方向移動不能に貫通状に取り付けたことを特徴とする請求項１に記載の片開式扉の締付装置。
【請求項３】
前記締付操作軸を上下複数箇所に設け、該操作軸を連動機構を介して回動可能としたことを特徴とする請求項１又は２に記載の片開式扉の締付装置。
【請求項４】
前記扉締付アームの前記アーム回動操作手段は、前記締付操作軸と平行にかつ扉貫通状に設けたレバー回動軸と、該回動軸の室外側端に設けたアーム回動レバーと、レバー回動軸の室内側端に設けた連動リンクアームと、該リンクアームと扉締付アームとを平行ピンを介して連接するリンクレバーとにより構成したことを特徴とする請求項１、２又は３に記載の片開式扉の締付装置。
【請求項５】
前記連動機構を、前記各締付操作軸の室内側にそれぞれ装着した連動歯車群と、上下の連動歯車群を連動連接する連動ロッドとにより構成したことを特徴とする請求項３に記載の片開式扉の締付装置。
【請求項６】
前記連動歯車群を、前記締付操作軸に外嵌固着されたスパーギヤと、前記連動ロッドの上下端に外嵌固着されたベベルギヤと、連動歯車箱に回動可能に軸支された中間歯車軸に同軸的に固着されかつ前記スパーギヤ及び前記ベベルギヤにそれぞれ噛み合うスパーギヤ及びベベルギヤとにより構成したことを特徴とする請求項５に記載の片開式扉の締付装置。
【請求項７】
前記締付操作軸の少なくとも１本に、その両端部に位置して回動操作ハンドルを設けたことを特徴とする請求項４、５又は６に記載の片開式扉の締付装置。
【請求項８】
前記扉及び扉と室開口部対向面を、水密又は気密構造としたことを特徴とする請求項１、２、３、４、５、６又は７に記載の片開式扉の締付装置。
【考案の詳細な説明】
【０００１】
【産業上の利用分野】
本考案は、室例えば倉庫、細菌隔離室、隔離畜舎等の開口部にもうけられる片開式扉の締付装置に関するものである。
【０００２】
【従来の技術】
従来、倉庫例えば燻蒸倉庫や保冷又は保温倉庫等には、作業者など人が緊急時に出入りする開口部に片開式の気密扉が設けられており、気密を保持するために扉を開口部周壁にフック或いは締め付けボルトにより締め付けるようになっている。そして、扉の締め付けは、倉庫の外側から行っていた。しかし、倉庫内火災の発生時や高潮襲来時等、作業者が庫内にとり残された場合、庫内からの扉の締付装置を開くことができず、自力脱出が不能である。
そこで、本願出願人は、既に室の内外側から扉の締め付けを解除して、扉を開くことのできる扉の締付装置を提供している。
【０００３】
【考案が解決しようとする課題】
ところで、上記従来技術では、例えば農家において病気に罹った家畜等を隔離した状態で作業する場合、作業者が室の内側にいて、前記扉の締め付け操作を室の内側から行うことができないという問題がある。
本考案は、上記実状に鑑みてなされたもので、その目的とするところは、室の内側及び外側から、扉の締め付け操作とその解除操作を行うと共に扉を開閉できる片開式扉の締付装置を提供するにある。
【０００４】
【課題を解決するための手段】
本考案では、上記目的を達成するために、次の技術的手段を講じている。
即ち、本考案は、室の開口部に垂直軸を有するヒンジを介して開閉自在に取り付けられた片開式扉において、扉の所要箇所に、締付操作軸を回動自在にかつ軸方向移動不能に貫通状に取り付け、該軸の両端部に回動操作ハンドルを取り付け、前記操作軸の室内側端部に雄ねじ部を設け、該雄ねじ部に扉締付アームの略中央部に設けた雌ねじ部を螺合し、扉締付アームの両端を前記開口部両側の扉と反対側の垂直面に接当・離脱自在とし、扉を室の内外いずれの側からも開操作可能とし、前記扉締付アームを扉に設けたアーム回動操作手段によって室外からも回動操作可能としたことを特徴としている。
【０００５】
また、本考案は、扉の中央部又は上下複数箇所に、締付操作軸を回動自在にかつ軸方向移動不能に貫通状に取り付けたことを特徴としている。
そして、本考案は、前記締付操作軸を上下複数箇所に設け、該操作軸を連動機構を介して回動可能としたことを特徴としている。
さらに、本考案は、前記扉締付アームの前記アーム回動操作手段を、前記締付操作軸と平行にかつ扉貫通状に設けたレバー回動軸と、該回動軸の室外側端に設けたアーム回動レバーと、レバー回動軸の室内側端に設けた連動リンクアームと、該リンクアームと扉締付アームとを平行ピンを介して連接するリンクレバーとにより構成したことを特徴としている。
【０００６】
そしてまた、本考案は、前記連動機構を、前記各締付操作軸の室内側にそれぞれ装着した連動歯車群と、上下の連動歯車群を連動連接する連動ロッドとにより構成したことを特徴としている。
さらに、本考案は、前記連動歯車群を、前記締付操作軸に外嵌固着されたスパーギヤと、前記連動ロッドの上下端に外嵌固着されたベベルギヤと、連動歯車箱に回動可能に軸支された中間歯車軸に同軸的に固着されかつ前記スパーギヤ及び前記ベベルギヤにそれぞれ噛み合うスパーギヤ及びベベルギヤとにより構成したことを特徴としている。
【０００７】
また、本考案は、前記締付操作軸の少なくとも１本に、その両端部に位置して回動操作ハンドルを設けたことを特徴としており、さらに、前記扉及び扉と室開口部対向面を、水密又は気密構造としたことを特徴としている。
【０００８】
本考案によれば、扉を閉じて締め付けた状態で、扉の締付装置の開操作を行うとき、室の内側及び外側でそれぞれの操作ハンドルを一定方向に回動させることにより、前記雄ねじ部及び雌ねじ部のねじ機構によって、締付アームが操作軸に対して扉から遠ざかる方向に移動するため、締付アームの両端が前記開口部の両側垂直面から離反し、締付アームの重い一方端がその重力によって下向きに回動し、開口部両側対向面の内側に位置するので締付ロックが解除される。続いて、扉を開方向に押すことで、至極容易にかつ迅速に開くことができる。
【０００９】
そこで、扉を室の内側から閉じかつ締め付ける場合は、室の主開口部の扉を開けて作業者が出られる状態としておき、本考案に係る扉を閉め、室の内側から前記締付アームの両端を開口部の前記垂直面に当接させるように、操作ハンドルを前述とは反対の方向に回動させ、締付アームを扉側に移動させ前記開口部垂直面に当接させ、さらに前記操作ハンドルを回動させて締め付け、扉を前記開口部に気密又は水密状態とすることができる。なお、本考案に係る扉の締め付けが完了すると、作業者は前記主開口部から室外に出て、主開口部の扉を閉鎖する。
【００１０】
そして、扉を閉じて室の外側から該扉を締め付け密閉する場合は、前記締付アームを、その回動操作手段によって室の外側から回動操作して前記開口部垂直面に当接可能とし、前記回動操作ハンドルを回動させて前記垂直面に向かって移動させ、前記アームの両端部を前記垂直面に当接し前記扉を室の開口部に締め付けることができる。即ち、前記回動操作手段のアーム回動レバーを、締付アームの締付セット方向に回動操作することにより、前記レバーからレバー回動軸、連動リンクアーム、リンクレバーを介して締付アームが回動し、該アームの両端を前記開口部垂直面に当接可能な状態とすることができる。かかる状態となれば、前述のように、回動操作ハンドルを回動操作して締付アームを前記開口部に当接させ締め付けることができる。
なお、前記締付アームを上下に複数設けかつ連動機構を備えた場合、１本の締付操作軸に設けた回動操作ハンドルを回動させることで、前記アームによる扉の締め付け解除を行うことができる。
【００１１】
【考案の実施の形態】
以下、本考案の実施の形態を図面に基づき説明する。
図１〜図４は、本考案の第一の実施形態を、図５〜図８は、本考案の第二の実施形態を示している。
図面において、１は倉庫等の室、２は側壁、３は緊急時等出入用の開口部、４は開口部３に嵌着された扉取付枠、５は扉にして、６は扉締付装置である。
前記扉５は、扉取付枠４の室外側垂直面４Ａに、垂直軸７を有するヒンジ８により片開状にかつ開閉可能に取り付けられており、前記扉５の扉取付枠４との対向面５Ａには、扉全周に亘ってシール部材例えばシールゴム９が固着され、前記枠外側面４Ａには、シールゴム９に対応して帯板状のシールゴム又は戸当板１０が固着されている。
【００１２】
前記扉５の左右幅方向及び上下方向中央部には、軸挿通孔１１が水平にかつ扉５を貫通して設けられており、該孔１１を利用して前記扉締付装置６がそれぞれ取り付けられている。
前記扉締付装置６は、前記軸挿通孔１１に挿通され、かつ両端が室内・外に突出状に気密構造の外軸受１３、内軸受１２を介して取り付けられた締付操作軸１４と、該軸１４の両端に固着された内・外の回動操作ハンドル１５、１６と、前記操作軸１４の雄ねじ部１７に螺合された締付アーム１８とから成っている。
【００１３】
前記内側軸受１２は、前記扉５の内側面５Ａ（対向面）に取り付けられた筒状台座１９のフランジ１９Ａに固着されており、軸受１２の内端が前記扉取付枠４の室内側垂直面４Ｂよりも扉５側に位置せられ、該軸受１２の内端よりも内方に位置して、前記操作軸１４に前記雄ねじ部１７が設けられている。
【００１４】
前記外側軸受１３は、図４に示すように、扉５の外側面５Ｂに気密状に取り付けられた軸受箱２０と、該軸受箱２０に嵌装され、かつ前記操作軸１４に設けたフランジ部２１の軸方向両端に位置せられたスラストベアリング２２、２３とからなり、前記軸受箱２０内には、グリースを封入すると共にパッキン２４を嵌装して気密状態が確保されており、前記スラストベアリング２２、２３により操作軸１４の軸方向移動を不能にしている。
【００１５】
前記締付アーム１８の略中央部内には、雌ねじ部２５を有するナット部材２６が固着され、該雌ねじ部２５に操作軸１４の雄ねじ部１７が螺合されている。
そして、前記アーム１８の雌ねじ部２５から一方端１８Ａ側は、他方端１８Ｂ側よりも若干重くし、その重力によって下向きに回動するように重力付勢されており、前記取付枠４の室内側垂直面４Ｂとの接触抵抗よりも前記付勢力が大きくなると、アーム一方端１８Ａが前記室内側垂直面４Ｂから離脱し、締め付け解放状態となるようにしてある。
【００１６】
なお、締付アーム１８の一方端１８Ａを重くする手段としては、アーム１８の長手方向中央から両端１８Ａ、１８Ｂまでの長さを同じとした場合には、一方端１８Ａ側にウエイトを取り付けるか、一部の部材厚さを大きくすることにより重くでき、またアーム１８の一端１８Ａ側端の長手方向中央からの長さを、アーム他端１８Ｂ側端までの長さよりも若干長くすること等の手段を採用することができる。そして、扉５の室内側面５Ａ又は取付枠４の適所に、アームストッパー２７を設けて、前記締付アーム１８が必要以上に下向きに回動しないようにしてある。
【００１７】
２８は前記締付アーム１８の室外側からのアーム回動操作手段で、前記扉５の左右幅方向中央部でかつ前記操作軸１４の上方に位置して扉５を貫通しかつ操作軸１４と平行に固着された軸受筒２９と、該筒２９に回動自在でかつ軸方向移動不能に気密状に嵌装された回動軸３０と、該回動軸３０の室外側端に固着されたアーム回動レバー３１と、回動軸３０の室内側端に中央部が固着されたくの字型のリンクアーム３２と、上端がリンクアーム３２の両端に前記軸３０と平行なピン３３を介して回動可能に連結された２本のリンクレバー３４と、リンクレバー３４の下端と前記締付アーム１８に上向きに固着されている連結ブラケット３５とを回動可能に連結する前記軸１４と平行なピン３６とにより構成されている。
【００１８】
上記第一実施形態によれば、前記扉５の閉操作は室内及び室外側から行うことができる。まず扉５の室内からの操作は、扉５をシールゴム９が扉取付枠４の該側面４Ａに当たるまで締め切り、締付アーム１８を水平にして操作ハンドル１５を図３に矢印イで示す方向に回転させることにより、締付アーム１８が図４に矢印ハで示すように扉５方向に移動し、アーム両端部１８Ａ、１８Ｂが扉取付枠４の室内側面４Ｂに当たる。そこで、操作ハンドル１５をさらに矢印イ方向に回転させ、締付アーム１８を十分に締め付けるとよい。
【００１９】
そして、前記扉５の室外側からの操作は、まず扉５をシールゴム９が扉取付枠４の外側面４Ａに当たるまで締め切り、アーム回動レバー３１を図１に矢印イで示す方向に回動させることにより、前記リンクアーム３２が図中矢印イで示す方向に回動し、前記リンクレバー３４を介して前記締付アーム１８が同じ矢印イで示す方向に回動して、図３に実線で示すように水平状となる。このような状態となれば、前述と同様に室外側の前記操作ハンドル１６を回転させて、締付アーム１８を図４に矢印ハで示す方向に移動させて室開口部垂直面４Ｂに当接し十分に締め付けるとよい。
【００２０】
次に、前記扉５の開操作は、室２の内・外側から行うことができる。即ち、前記操作ハンドル１５又は１６を、図１、４に矢印ロで示す方向に回転することにより、締付アーム１８が図４に矢印二で示す方向に移動し、締付アーム１８の両端部１８Ａ、１８Ｂが扉取付枠４の室内側面４Ｂから離れると同時に、前記アーム１８の一方端１８Ａ側が重いためにその重力によって自動的に下向き回動し、一方１８Ａが図３に２点鎖線で示すように、アームストッパー２７に当接し、扉５の締め付けが解放される。
【００２１】
このようにして、締付アーム１８が扉取付枠４の前記室内側面４Ｂを離れると、操作ハンドル１５又は１６を扉開方向に押すか又は引くことにより、至極容易に扉５の締め付け解放及び開操作を行うことができる。そして、室２の外側においても、締付アーム１８に手を触れることなく、操作ハンドル１５、１６を図中矢印ロで示す方向に回動させるだけで、扉５の締め付けを解放して、扉５を開けることができる。
【００２２】
第二実施形態は、図５〜８に示しているように、扉５の上下高さが大なる場合で、締付アーム１８が上下二段に設けられ、上下段の締付操作軸１４Ａ、１４Ｂが連動機構３７を介して連動連結され、上段の締付操作軸１４Ａが短くされて前記操作ハンドル１５、１６が設けられていない。また、前記リンクレバー３４の上端は、上方に延長せられその端部に上段の締付アーム１８がブラケット３８及びピン３９を介して連結されており、上下の締付アーム１８、１８が前記アーム回動レバー３１の操作により連動して同時に回動するように構成されている。
【００２３】
そして、前記連動機構３７は、図６〜図８に示すように、締付操作軸１４Ａ、１４Ｂの室内側にそれぞれ装着した連動歯車群４０と、上下の連動歯車群４０を連動連接する連動ロッド４１とにより構成されている。そして、前記連動歯車群４０は、扉５の内側面に気密状に取り付けられた連動歯車箱４２（第一実施形態の筒状台座１９に代わるもの）内に納められており、締付操作軸１４Ａ、１４Ｂに外嵌固着されたスパーギヤ４３と、前記連動ロッド４１の上下端に外嵌固着されたベベルギヤ４４と、連動歯車箱４２に回動可能に軸支された中間歯車軸４５に同軸的に固着されかつ前記スパーギヤ４３及び前記ベベルギヤ４４にそれぞれ噛み合うスパーギヤ４６及びベベルギヤ４７とにより構成されている。なお、前記連動機構３７の連動ロッド４１及び中間歯車軸４５の中心線は、同一平面内にありかつ前記操作軸１４Ａ、１４Ｂの中心線から左又は右に、前記スパーギヤ４３のピッチ円直径分だけずらされている。
【００２４】
本考案の第二実施形態において、扉５の開閉操作及び締め付け・解放操作は、前述の第一実施形態における操作と同じであるから、省略する。
本考案は、上記実施形態に限定されるものではなく、例えば、上下の各操作軸１４Ａ、１４Ｂには、それぞれ操作ハンドル１５、１６を設けて、連動機構３７を省略し、上下の締付アーム１４Ａ１４Ｂを個別に操作するように構成することができ、適宜設計変更可能である。
【００２５】
【考案の効果】
本考案に係る片開式扉の締付装置は、上述のように、室の開口部に垂直軸を有するヒンジを介して開閉自在に取り付けられた片開式扉において、扉の所要箇所に、締付操作軸を回動自在にかつ軸方向移動不能に貫通状に取り付け、該軸の両端部に回動操作ハンドルを取り付け、前記操作軸の室内側端部に雄ねじ部を設け、該雄ねじ部に扉締付アームの略中央部に設けた雌ねじ部を螺合し、扉締付アームの両端を前記開口部両側の扉と反対側の垂直面に接当・離脱自在とし、扉を室の内外いずれの側からも開操作可能とし、前記扉締付アームを扉に設けたアーム回動操作手段によって室外からも回動操作可能としたことを特徴とするものであるから、例えば、狂牛病に罹った牛を隔離し、病原菌を外部に漏らすことが防止できる倉庫として最適である。
【００２６】
また、前記締付操作軸を上下複数箇所に設け、該操作軸を連動機構を介して回動可能としたことを特徴とするものであるから、構造簡単で操作が容易である。前記扉締付アームの前記アーム回動操作手段は、前記締付操作軸と平行にかつ扉貫通状に設けたレバー回動軸と、該回動軸の室外側端に設けたアーム回動レバーと、回動軸の室内側端に設けた連動リンクアームと、該リンクアームと扉締付アームとを平行ピンを介して連接するリンクレバーとにより構成したことを特徴とするものであるから、構造が簡単でかつ操作が確実容易である。
【００２７】
前記連動機構を、前記各締付操作軸の室内側にそれぞれ装着した連動歯車群と、上下の連動歯車群を連動連接する連動ロッドとにより構成し、前記連動歯車群を、前記締付操作軸に外嵌固着されたスパーギヤと、前記連動ロッドの上下端に外嵌固着されたベベルギヤと、連動歯車箱に回動可能に軸支された中間歯車軸に同軸的に固着されかつ前記スパーギヤ及び前記ベベルギヤにそれぞれ噛み合うスパーギヤ及びベベルギヤとにより構成したことを特徴としているので、動力の伝達を確実・円滑に行える。
【図面の簡単な説明】
【図１】本考案の第一実施形態を示す正面図である。
【図２】図１のＡ−Ａ断面図である。
【図３】図１の右側面図である。
【図４】図２の要部拡大図である。
【図５】本考案の第二実施形態を示す正面図である。
【図６】図５のＢ−Ｂ線断面図である。
【図７】図６のＣ矢示図である。
【図８】連動機構の歯車群の一例を示す概略図である。
【符号の説明】
１　室
３　開口部
４　扉取付枠
４Ａ　対向面
４Ｂ　垂直面
５　扉
５Ａ　対向面
６　締付装置
７　垂直軸
８　ヒンジ
９　シールゴム
１０　シールゴム
１１　軸挿通孔
１２　軸受
１３　軸受
１４　操作軸
１４Ａ　操作軸
１４Ｂ　操作軸
１５　操作ハンドル
１６　操作ハンドル
１７　雄ねじ部
１８　締付アーム
１８Ａ　アーム一方端側
１８Ｂ　アーム他方端側
２１　フランジ部
２５　雌ねじ部
２６　ナット部材
２８　回動操作手段
２９　軸受筒
３０　回動軸
３１　アーム回動レバー
３２　リンクアーム
３３　ピン
３４　リンクレバー
３６　ピン
３７　連動機構
３９　ピン
４０　連動歯車群
４１　連動ロッド
４２　連動歯車箱
４３　スパーギヤ
４４　ベベルギヤ
４５　中間歯車軸
４６　スパーギヤ
４７　ベベルギヤ
【図１】
0003098885.tif 000003
【図２】
0003098885.tif 000004
【図３】
0003098885.tif 000005
【図４】
0003098885.tif 000006
【図５】
0003098885.tif 000007
【図６】
0003098885.tif 000008
【図７】
0003098885.tif 000009
【図８】
0003098885.tif 000010